(57)【要約】      （修正有）【課題】両側の渦巻ファンの渦巻構造が中間渦巻ファンの送風に与える影響を軽減することが可能な渦巻ファン組合せ構造、及びこの渦巻ファン組合せ構造を備えた据置型空気調和機を提供する。【解決手段】渦巻ファン組合せ構造は、取付板と、取付板に取り付けられた少なくとも２つの隣接する渦巻ファン１〜３とを備える。２つの隣接する渦巻ファンのうちの一方の渦巻ファン２は、２つの隣接する渦巻ファンの間に位置する中間傾斜空気吹き出し口２８、２９を有する。中間傾斜空気吹き出し口は、渦巻ファン２の渦巻筐体から離れる方向に向かって後方から前方へ斜めに延在する。この渦巻ファン組立構造では、第２渦巻ファン２の空気吹き出し口を、第１渦巻ファン１及び第３渦巻ファン３からずらして配置し、干渉を抑制することができる。【選択図】図３Ａ
0003225968.tif 000002
【実用新案登録請求の範囲】
【請求項１】
取付板（４）と、
前記取付板（４）に取り付けられた少なくとも２つの隣接する渦巻ファンと、
を具備し、
前記２つの隣接する渦巻ファンのうちの一方の渦巻ファンは、それら２つの隣接する渦巻ファンの間に位置する中間傾斜空気吹き出し口を有し、前記中間傾斜空気吹き出し口が、前記取付板（４）から離れる方向に沿って延在する、渦巻ファン組合せ構造。
【請求項２】
前記中間傾斜空気吹き出し口の前記取付板（４）に隣接する内面は、傾斜又はキャンバーを有し、前記傾斜の延長線又は前記キャンバーの接平面の延長線が、前記中間傾斜空気吹き出し口に隣接する他方の渦巻ファンの渦巻構造とは交差しない、請求項１に記載の渦巻ファン組合せ構造。
【請求項３】
下から順番に第３渦巻ファン（３）、第２渦巻ファン（２）及び第１渦巻ファン（１）を含む３つの渦巻ファン（１，２，３）を具備し、
前記第２渦巻ファン（２）は、空気を上方へ送り込む及び／又は空気を下方へ送り込む第２渦巻ファン空気吹き出し口（２８，２９）を有し、
前記第２渦巻ファン空気吹き出し口（２８，２９）は、前記取付板（４）から離れる方向に沿って延在する、請求項１に記載の渦巻ファン組合せ構造。
【請求項４】
前記第２渦巻ファン空気吹き出し口（２８，２９）の前記取付板（４）に隣接する内面は、傾斜又はキャンバーを有し、対応する傾斜の延長線又はキャンバーの接平面の延長線は、前記第２渦巻ファン空気吹き出し口（２８，２９）に対向する第１渦巻ファン又は第３渦巻ファンの渦巻構造とは交差しない、請求項３に記載の渦巻ファン組合せ構造。
【請求項５】
前記第１渦巻ファン（１）は、空気を上方へ送り込む第１渦巻ファン空気吹き出し口（１８）を有し、
前記第３渦巻ファン（３）は、空気を下方へ送り込む第３渦巻ファン空気吹き出し口（３９）を有し、
前記第２渦巻ファン空気吹き出し口は、空気を上方へ送り込む第２渦巻ファン第１空気吹き出し口（２８）と、空気を下方へ送り込む第２渦巻ファン第２空気吹き出し口（２９）とを有する、請求項３に記載の渦巻ファン組合せ構造。
【請求項６】
前記第２渦巻ファン第１空気吹き出し口（２８）の前記取付板（４）に隣接する内面（２８２）は、傾斜又はキャンバーを有し、前記傾斜の延長線又はキャンバーの接平面の延長線（２８２１）は、前記第１渦巻ファン（１）の渦巻構造とは交差せず、
前記第２渦巻ファン第２空気吹き出し口（２９）の前記取付板（４）に隣接する内面（２９２）は、傾斜又はキャンバーを有し、前記傾斜の延長線又はキャンバーの接平面の延長線（２９２１）は、前記第３渦巻ファン（３）の渦巻構造とは交差しない、請求項５に記載の渦巻ファン組合せ構造。
【請求項７】
前記取付板（４）と平行な第１風向板（２８０）が、前記第２渦巻ファン第１空気吹き出し口（２８）の前記取付板（４）から離隔した壁に少なくとも設けられ、及び／又は、
前記取付板（４）と平行な第２風向板（２９０）が、前記第２渦巻ファン第２空気吹き出し口（２９）の前記取付板（４）から離隔した壁に少なくとも設けられる、請求項６に記載の渦巻ファン組合せ構造。
【請求項８】
前記第１風向板（２８０）は、上方に延在するスリーブを有し、前記第２風向板（２９０）は、下方に延在するスリーブを有する、請求項７に記載の渦巻ファン組合せ構造。
【請求項９】
前記第２渦巻ファン（２）は、前記第１渦巻ファン（１）及び前記第３渦巻ファン（３）よりも前記取付板（４）から離れている、請求項３に記載の渦巻ファン組合せ構造。
【請求項１０】
前記取付板（４）は、前記第１渦巻ファン（１）、前記第２渦巻ファン（２）及び前記第３渦巻ファン（３）をそれぞれ対応して取り付けるための第１ファン取付部（４１）、第２ファン取付部（４２）及び第３ファン取付部（４３）が設けられ、
前記第２ファン取付部は、前記取付板（４）の前方に向かって、前記第１ファン取付部（４１）及び前記第３ファン取付部（４３）よりも前に突出するよう配置されている、請求項９に記載の渦巻ファン組合せ構造。
【請求項１１】
その上部に位置する上部空気吹き出し口と、その底部に位置する底部空気吹き出し口とが設けられた筐体と、
前記筐体内に設けられ、前記上部空気吹き出し口及び前記底部空気吹き出し口とそれぞれ連通する本体空気ダクトと、
前記筐体内に設けられ、前記本体空気ダクトから前記上部空気吹き出し口及び／又は前記底部空気吹き出し口に向かって空気を送り込む請求項１に記載の渦巻ファン組合せ構造と、
を具備する縦型空気調和機。
【考案の詳細な説明】
【技術分野】
【０００１】
本出願は、２０１５年９月１１日付けで中国特許庁に出願された「渦巻ファン組立構造及び縦型空気調和機」という発明の名称の中国特許出願第２０１５１０５７９２６２．２号の優先権を主張し、その出願の全体が参照によって本明細書に組み込まれる。
【０００２】
本考案は、送風機構の分野に関し、特に、渦巻ファン組合せ構造及び縦型空気調和機に関するものである。
【背景技術】
【０００３】
現在市販されている空気調和装置には、双方向送風が求められる場合に、２つの反対の方向に送風を行う２つの渦巻ファンが設けられたものがある。しかしながら、渦巻ファンのパワーやボリュームの制限によって、非常に大型の空気調和装置、例えば、縦型空気調和機に適用すると、空気量が不十分となる問題が生じる場合がある。渦巻ファンのパワーを増加させると、それに伴い渦巻ファンのボリュームが増大することもある。そのため、縦型空気調和機の全体ボリュームを拡大し、具体的には、縦型空気調和機の幅及び／又は厚さを増大させ、かつ、縦型空気調和機が横方向に占有する空間を拡大する必要がある。これらはすべて、縦型空気調和機の設置、使用、運搬にとって好ましくない。
【考案の概要】
【０００４】
上記に鑑みて、本考案は、複数の渦巻ファンを備えた送風機装置において、両側の渦巻ファンの渦巻構造が中間渦巻ファンの送風に与える影響を軽減することが可能な渦巻ファン組合せ構造を提供する。
【０００５】
上記目的を達成するため、本考案は以下の技術的解決策を講じる。
【０００６】
渦巻ファン組合せ構造は、取付板と、その取付板に取り付けられた少なくとも２つの隣接する渦巻ファンとを備え、その２つの隣接する渦巻ファンのうちの一方の渦巻ファンは、それら２つの隣接する渦巻ファンの間に位置する中間傾斜空気吹き出し口を有し、その中間傾斜空気吹き出し口が、取付板から離れる方向に沿って延在する。
【０００７】
上記渦巻ファン組合せ構造において、中間傾斜空気吹き出し口の取付板に隣接する内面は、傾斜又はキャンバーを有し、傾斜の延長線又はキャンバーの接平面の延長線が、中間傾斜空気吹き出し口に隣接する他方の渦巻ファンの渦巻構造とは交差しないことが好ましい。
【０００８】
上記渦巻ファン組合せ構造において、下から順番に第３渦巻ファン、第２渦巻ファン及び第１渦巻ファンを含む３つの渦巻ファンを備え、第２渦巻ファンは、空気を上方へ送り込む及び／又は空気を下方へ送り込む第２渦巻ファン空気吹き出し口を有し、第２渦巻ファン空気吹き出し口は、取付板から離れる方向に沿って延在することが好ましい。
【０００９】
上記渦巻ファン組合せ構造において、第２渦巻ファン空気吹き出し口の取付板に隣接する内面は、傾斜又はキャンバーを有し、対応する傾斜の延長線又はキャンバーの接平面の延長線は、第２渦巻ファン空気吹き出し口に対向する第１渦巻ファン又は第３渦巻ファンの渦巻構造とは交差しないことが好ましい。
【００１０】
上記渦巻ファン組合せ構造において、第１渦巻ファンは、空気を上方へ送り込む第１渦巻ファン空気吹き出し口を有し、第３渦巻ファンは、空気を下方へ送り込む第３渦巻ファン空気吹き出し口を有することが好ましい。
【００１１】
上記渦巻ファン組合せ構造において、第２渦巻ファン空気吹き出し口は、空気を上方へ送り込む第２渦巻ファン第１空気吹き出し口と、空気を下方へ送り込む第２渦巻ファン第２空気吹き出し口（２９）とを有することが好ましい。
【００１２】
上記渦巻ファン組合せ構造において、第２渦巻ファン第１空気吹き出し口の取付板に隣接する内面は、傾斜又はキャンバーを有し、傾斜の延長線又はキャンバーの接平面の延長線は、第１渦巻ファンの渦巻構造とは交差せず、第２渦巻ファン第２空気吹き出し口の取付板に隣接する内面は、傾斜又はキャンバーを有し、傾斜の延長線又はキャンバーの接平面の延長線は、第３渦巻ファンの渦巻構造とは交差しないことが好ましい。
【００１３】
上記渦巻ファン組合せ構造において、取付板と平行な第１風向板が、第２渦巻ファン第１空気吹き出し口の取付板から離隔した壁に少なくとも設けられ、及び／又は、取付板と平行な第２風向板が、第２渦巻ファン第２空気吹き出し口の取付板から離隔した壁に少なくとも設けられることが好ましい。
【００１４】
上記渦巻ファン組合せ構造において、第１風向板は、上方に延在するスリーブを有し、第２風向板は、下方に延在するスリーブを有することが好ましい。
【００１５】
上記渦巻ファン組合せ構造において、第２渦巻ファンは、前後方向において、上記第１渦巻ファン及び第３渦巻ファンよりも前に位置することが好ましい。
【００１６】
上記渦巻ファン組合せ構造において、取付板は、第１渦巻ファン、第２渦巻ファン及び第３渦巻ファンをそれぞれ対応して取り付けるための第１ファン取付部、第２ファン取付部及び第３ファン取付部が設けられ、第２ファン取付部は、取付板の前方に向かって、第１ファン取付部及び第３ファン取付部よりも前に突出するよう配置されていることが好ましい。
【００１７】
本考案のもう一つの目的は、具体的には以下の解決策を講じる、縦型空気調和機を提供することである。
【００１８】
その上部に位置する上部空気吹き出し口と、その底部に位置する底部空気吹き出し口とが設けられた筐体と、
前記筐体内に設けられ、前記上部空気吹き出し口及び前記底部空気吹き出し口とそれぞれ連通する本体空気ダクトと、
前記筐体内に設けられ、前記本体空気ダクトから前記上部空気吹き出し口及び／又は前記底部空気吹き出し口に向かって空気を送り込む請求項１に記載の渦巻ファン組合せ構造と、
を具備する、縦型空気調和機。
【考案の効果】
【００１９】
本考案の効果は以下の通りである。
【００２０】
１．連続的に配置された複数の渦巻ファンの組み合わせについて、２つの隣接する渦巻ファンのうちの一方の渦巻ファンは、その２つの隣接する渦巻ファン間に位置する傾斜空気吹き出し口を有し、この傾斜空気吹き出し口は、上記一方の渦巻ファンが、隣接する渦巻ファンに阻害されない送風方向において傾斜して空気を送り出すことができるように、その一方の渦巻ファンの渦巻構造から離れる方向に向かって後方から前方へと傾斜するよう延在し、また、渦巻ファンは、全体として、ボリュームをわずかに変化させるだけで、平面にも配置し得る。
【００２１】
２．３つの渦巻ファンの組合せ構造について、第２渦巻ファンの２つの空気吹き出し口は、第１渦巻ファン及び第３渦巻ファンから突出する第２渦巻ファンの寸法を小さくするように傾斜して設けられている。これにより、縦型空気調和機の厚さ及び／又は厚さ方向の外形寸法への影響を軽減することが可能となる。
【００２２】
３．中間第２渦巻ファンは、元の渦巻ファンに変更を加える必要がない状況下で、総送風量を増加させるよう双方向に送風を行うことが可能である。
【００２３】
４．さらに、第２渦巻ファンの送風がもっとスムーズになるよう、第２渦巻ファンの傾斜空気吹き出し口の傾斜度を小さくするように、前後方向において、第１渦巻ファン及び第３渦巻ファンよりも前に第２渦巻ファンを配置することも可能である。
【００２４】
５．渦巻ファンは、空気調和装置、例えば、縦型空気調和機の外形寸法にほぼ影響を与えずに、傾斜空気吹き出し口と渦巻ファンとを千鳥状に配置する組合せ方法を採用することで、厚さの増加を小さくし、それにより、空間の変更要件を満たすように縦型空気調和機の高さ調節を行うだけでよい。縦型空気調和機の外形寸法は、一般的に高さが非常に高いので、高さ調節が外形寸法の設計に与える影響は少ない。
【００２５】
６．第２渦巻ファンの傾斜空気吹き出し口には、その空気吹き出し口からの送風が、第１渦巻ファンと第３渦巻ファンを避けた後、取付板とほぼ平行な方向に送られるよう、空気吹き出し口の空気の方向を調整する風向板が設けられている。空気調和装置が一方向だけに送風を行うよう構成されている場合、フロントパネルの反射空気によって、回帰気流に与える影響を軽減し得る。
【００２６】
上記並びに本考案の他の目的、特徴、利点は、図面を参照して、以下の本考案の実施例の詳細な説明によってより明らかとなるであろう。
【図面の簡単な説明】
【００２７】
【図１】本考案の空気調和装置の外観図である。
【図２】空気調和装置内への渦巻組合せ構造の取付けを示す概略図である。
【図３Ａ】上部及び下部空気吹き出し口を開放した状態における、本考案の空気調和装置の気流を示す概略図である。
【図３Ｂ】下部空気吹き出し口を閉鎖し、上部空気吹き出し口を開放した状態における、本考案の空気調和装置の気流を示す概略図である。
【図４】図３ＡのＡ部を示す部分拡大図である。
【図５】渦巻ファン組合せ構造を示す正面図である。
【図６】渦巻ファン組合せ構造を示す側面図である。
【図７】渦巻ファン組合せ構造の渦巻ファンと取付板を示す分解概略図である。
【図８】第２渦巻部を備えた取付板を示す正面図及び側面図である。
【図８Ｂ】図８のＢ部を示す拡大図である。
【図９】インペラとモータを備えた第１部と、第２部を有する取付板との組み立てを示す概略図である。
【図１０】第２渦巻ファンを示す側面図である。
【図１１】第２渦巻ファンを示す断面図である。
【図１２】第２渦巻ファンの他の実施例を示す断面図である。
【図１３】第１渦巻ファンを示す分解断面図である。
【図１４】第１渦巻ファンを示す外観図である。
【図１５】第１渦巻ファンの取付構造を示す断面図である。
【図１６】図１５の領域Ｄを示す部分拡大図である。
【図１７】図１５の領域Ｅを示す部分拡大図である。
【図１８】図１５の領域Ｆを示す部分拡大図である。
【考案を実施するための形態】
【００２８】
以下、本考案を実施例に基づいて説明するが、本考案はそのような実施例に限定されるものではない。以下の本考案の詳細な説明では、いくつかの特定の細部について詳細に説明する。当業者であれば、本考案は、このような細部の説明がなくても完全に理解できるであろう。本考案の本質を曖昧にすることを避けるため、周知の方法、プロセス、フロー手順、要素については詳述しないものとする。
【００２９】
本出願では、図１及び図２に方向の定義が示されている。前後方向とは、取付板４に対して垂直な方向に沿ったものとして定義され、フロントパネル５１は前部に、リヤパネルは後部にそれぞれ配置されている。長手方向とは、取付板に平行な方向に沿ったものとして定義され、上部空気吹き出し口５３が上部に、下部空気吹き出し口５４が下部にそれぞれ位置する。緯度方向とは、取付板に平行かつ長手方向に対して垂直な方向に沿ったものとして定義され、図１において左手方向が左側、右手方向が右側である。主面方向に対して垂直かつ見ている人に最も近い側が左側、その左側の反対側が右側である。
【００３０】
本出願は、取付板４と複数の渦巻ファンを備えた、空気調和装置の渦巻ファン組合せ構造の設計を行うものである。この空気調和装置は、具体的には、送風機能を有し、室内空気パラメータを調節可能な縦型空気調和機、ファン、エアフィルタなどの電気器具装置を指す。図１〜図３に示すように、空気調和装置は、筐体５を有し、その上側には上部空気吹き出し口５３が上部に設けられることが好ましく、その下側には底部空気吹き出し口５４がその筐体５の底部にある座部に設けられることが好ましい。この筐体は、フロントパネル５１とリヤパネル５５を有し、これら両パネルの間には、中空チャンバが形成されている。この中空チャンバの内部には、主に取付板４と複数の渦巻ファンから構成される渦巻ファン組合せ構造が備えられている。その具体的な構造については、後に詳述する。この渦巻ファン組合せ構造は、長手方向に沿って上記中空チャンバ内に配置され、その渦巻構造は、取付板４の前であって、フロントパネル５１の位置に対向して設けられている。この取付板４は、中空チャンバを独立した２つの部分に分け、取付板４の後側とリヤパネル５５との間の空間には、リヤパネル５５に配置された吸気グリルと連通する吸気ダクト５７が形成されている。好ましい解決策として、吸気ダクト５７の内部には、蒸発器などの熱交換機構がさらに備えられている。取付板４の前側とフロントパネル５１との間の空間には、この空気調和装置の本体空気ダクト５６が形成され、上部空気吹き出し口５３と底部空気吹き出し口５４とにそれぞれ連通している。渦巻取付け位置に対応する位置において、取付板４は、渦巻吸気口とは対向する位置に取付板吸気口を備えている。渦巻構造の空気吹き出し口は、本体空気ダクト５６と連通している。この空気調和装置の動作時には、空気がリヤパネル５５の吸気グリルを通った後、吸気ダクト５７へと進入し、その後、取付板吸気口から渦巻空気吹き出し口に入り、渦巻ファンの遠心ファンによって加速された後に渦巻空気吹き出し口から本体空気ダクト５６へと搬送され、底部空気吹き出し口５４から吹き出されるよう下方へ移動、及び／又は、上部空気吹き出し口５３から吹き出されるよう上方へ移動してもよい。
【００３１】
本出願の渦巻ファン組合せ構造は、取付板と、その取付板の前側面に取り付けられた少なくとも３つの渦巻ファンとを備えている。この少なくとも３つの渦巻ファンには、上側に配置され、空気を上方へと送り込む空気吹き出し口を備えた上側渦巻ファンと、下側に配置され、空気を下方へと送り込む空気吹き出し口を備えた下側渦巻ファンとが含まれ、さらにこれらの上側渦巻ファンと下側渦巻ファンとの間に少なくとも一つの中間渦巻ファンが含まれる。この少なくとも一つの中間渦巻ファンには、上方と下方へ同時に空気を送り込むことが可能な双方向空気吹き出し口を有する少なくとも一つの双方向渦巻ファンが含まれる。そして、この双方向空気吹き出し口と、上記双方向渦巻ファンに隣接する渦巻ファンとは、前後方向に千鳥状に配置されている。この少なくとも一つの中間渦巻ファンは、双方向渦巻ファンと、空気を一方向に送り込む渦巻ファンとの組み合わせであってもよく、完全に双方向渦巻ファンだけで構成されていてもよい。双方向送風機と、双方向渦巻ファンに隣接する渦巻ファンとを前後方向に千鳥状に配置する具体的な方法としては、渦巻ファンを前後方向に千鳥状に配置し、空気を傾斜して送り込む双方向空気吹き出し口を設け、上記２つの方法を組み合わせて用いてもよい。この具体的な構造については、以下に詳しく説明する。
【００３２】
次に、例えば、図３〜図１８を参照して、本出願の渦巻ファン組合せ構造について詳しく説明する。図５〜図７に示すように、渦巻ファン組合せ構造は、取付板４と、３つの渦巻ファン（以下略してファンという）とから構成される。３つの渦巻ファンには、取付板４の上側に設けられる第１渦巻ファン１と、取付板４の下側に位置する第３渦巻ファン３と、取付板４に設けられ、第１渦巻ファン１と第３渦巻ファン３の間に位置する第２渦巻ファン２とが含まれる。その中でも、第１渦巻ファン１は、空気を上方へ送り込む第１渦巻ファン空気吹き出し口１８を有し、第３渦巻ファンは、空気を下方へ送り込む第３渦巻ファン空気吹き出し口３９を備え、第２渦巻ファンは、空気を上方へ送り込む第２渦巻ファン第１空気吹き出し口２８と、空気を下方へ送り込む第２渦巻ファン第２空気吹き出し口２９との２つの空気吹き出し口を有している。本実施例では、取付板が長手方向に設けられ、３つの渦巻ファンも長手方向に配置されているが、本出願の技術的解決法は、長手方向に設けられる取付板構造に限定されるべきではないことについて説明する必要がある。この取付板は、水平方向に配置されていても、傾斜して配置されていてもよい。本書で定義する長手方向、緯度方向、前後方向は、いずれも取付板に対して相対的な方向である。
【００３３】
第２渦巻ファン２は、第１渦巻ファン１と第３渦巻ファン３との間に配置され、空気吹き出し口は、空気を長手方向に送り込むように設けられている。従来の方法により、３つのファンを同一の面に取り付けた場合、第１渦巻ファン１の渦巻構造と第３渦巻ファンの渦巻構造によって、第２渦巻ファンの送風に対してバリアが形成される場合があり、第２渦巻ファン２によって送り込まれた空気が本体空気ダクト５６へとスムーズに進入する妨げとなる。そのため、３つのファンは、第２渦巻ファン第１空気吹き出し口２８と、第２渦巻ファン第２空気吹き出し口２９とが、第１渦巻ファン１と第３渦巻ファン３の位置から空間に千鳥状に配置されるよう、空間に千鳥状構造となるよう設けられる。第１渦巻ファン１と第３渦巻ファン３が第２渦巻ファン２の送風に与える影響は、できる限り最小限に軽減され、例えば、３つのファンは、前後方向及び／又は緯度方向に千鳥状に配置される。
【００３４】
好適な実施例としては、図６に示すように、３つのファンが前後に千鳥状に配置されるようにする。具体的には、取付板４における第２渦巻ファン２の取付位置は、第１及び第３渦巻ファンの取付位置の前側に定められる、すなわち、第２渦巻ファン２によって長手方向に送り込まれた空気が、よりスムーズに本体空気ダクト５６を搬送されるよう、第１渦巻ファン１の渦巻構造と第３渦巻ファン３の渦巻構造による阻害を少なくとも部分的に回避するように、第２渦巻ファン２は、第１渦巻ファン１と第３渦巻ファン３が配置された位置よりも本体空気ダクト５６に近い位置に配置されている。取付板４における第２渦巻ファン２の取付位置は、取付板４の形状を変えることによって、第２及び第３渦巻ファンの取付位置の前側に定められることが好ましい。図６〜図８に示すように、取付板は、第１ファン取付部４１、第２ファン取付部４２、第３ファン取付部４３を有し、第２ファン取付部４２が、第１ファン取付部４１及び第３ファン取付部４３と比較して、フロントパネル５１に向かって順方向に突出するよう、第２ファン取付部４２と第１ファン取付部４１／第３ファン取付部４３との間には段差が形成されている。このように、３つのファンの形状を変えない場合には、３つのファンが取付板４に取り付けられた際に、取付板４における第２渦巻ファン２の取付位置を、第１及び第３渦巻ファンの取付位置の前側に定めることができる。このように前後に千鳥状に配置する利点としては、空気調和装置の外形寸法への影響がほんのごくわずかとなるよう、渦巻ファン組立構造の緯度方向の厚さを増大させずに、前後方向の厚さをある程度増大させるということだけである。好適な方法として、第２渦巻ファン第１空気吹き出し口２８と第２渦巻ファン第２空気吹き出し口２９の後壁の内面が、取付板と平行な平面であってもよく、この平面の延長線が第１渦巻ファン１と第３渦巻ファン３それぞれの渦巻構造と交差しない。このように、第２渦巻ファン２によって送り込まれた空気は、第１渦巻ファン１と第３渦巻ファン３の渦巻構造には吹きかけられなくてもよく、第１渦巻ファン１と第３渦巻ファン３が第２渦巻ファン２の送風に与える影響が最小限に軽減される。
【００３５】
また、３つのファンを緯度方向に千鳥状に配置する（図示せず）、すなわち、第２渦巻ファン２を第１渦巻ファン１と第３渦巻ファン３の左側又は右側に配置することもできる。それにより、第１渦巻ファン１と第３渦巻ファン３によって第２渦巻ファンの送風が阻害されるのを軽減することができる。しかしながら、この方法では、渦巻ファン組立構造の緯度方向の幅を大幅に増大させてしまうことがあり、空気調和装置の全体配置にとって好ましくない。
【００３６】
他の好適な実施例として、第２渦巻ファン２の第２渦巻ファン第１空気吹き出し口２８と第２渦巻ファン第２空気吹き出し口２９は、第２渦巻ファン２の渦巻構造に対して傾斜して配置されてもよい。例えば、図３〜図６を参照すると、実際の設置状態において、第２渦巻ファン２の渦巻構造は、取付板４の第２渦巻ファン取付部４２の面とほぼ平行になるように取り付けられる。図３に示すように、第２渦巻ファン２の渦巻面は、ほぼ長手方向に沿って延在している。第２渦巻ファン第１空気吹き出し口２８と第２渦巻ファン第２空気吹き出し口２９は、渦巻構造から離れる方向に向かって、取付板４からフロントパネル５１の方（すなわち、前後方向）に延在するよう配置されている。具体的には、第２渦巻ファン第１空気吹き出し口２８は、上前方に空気を送り込むよう配置され、第２渦巻ファン第２空気吹き出し口２９は、下前方に空気を送り込むよう配置される。図６、図１０、図１１を参照すると、第２渦巻ファン第１空気吹き出し口２８は、第２ファン取付部４２に最も近い第２渦巻ファン第１空気吹き出し口の後壁の内面２８２と、フロントパネル５１に最も近い第２渦巻ファン第１空気吹き出し口の前壁の内面２８１とを有し、この第２渦巻ファン第１空気吹き出し口の前壁の内面２８１は、傾斜又はキャンバーを有し、この傾斜又はキャンバーの接線の延長線２８１１と取付板４の面とが第１傾斜角θ１を形成し、第２渦巻ファン第１空気吹き出し口の後壁の内面２８２は、傾斜又はキャンバーを有し、この傾斜又はキャンバーの延長線２８２１と取付板４の面とが第２傾斜角θ２を形成する。第１傾斜角θ１の大きさは、第２傾斜角θ２と同じであっても異なっていてもよい。一方、第２渦巻ファン第２空気吹き出し口２９は、第２ファン取付部４２に最も近い第２渦巻ファン第２空気吹き出し口の後壁の内面２９２と、フロントパネル５１に最も近い第２渦巻ファン第２空気吹き出し口の前壁の内面２９１とを有し、この第２渦巻ファン第２空気吹き出し口の前壁の内面２９１は、傾斜又はキャンバーを有し、この傾斜又はキャンバーの接線方向２９１１と取付板４の面とが第３傾斜角θ３を形成し、第２渦巻ファン第２空気吹き出し口の後壁の内面２９２は、傾斜又はキャンバーを有し、このキャンバーの接線方向２９２１と取付板４の面とが第４傾斜角θ４を形成する。第３傾斜角θ３の大きさは、第４傾斜角θ４と同じであっても異なっていてもよい。好適な方法として、傾斜の延長線又は第２渦巻ファン第１空気吹き出し口の後壁の内面２８２のキャンバーの接線の延長線２８２１は、図４に示すように、第１渦巻ファン１の渦巻構造と交差しない。また、傾斜の延長線又は第２渦巻ファン第２空気吹き出し口の後壁の内面２９２のキャンバーの接線の延長線２９２１は、第３渦巻ファン３の渦巻構造と交差しない（図示せず）。この交差しないとは、具体的には、位置決め板上の渦巻構造の突出部と重なる傾斜の延長線又はキャンバーの接線の延長線２８２１の部分が前後方向において渦巻構造の前方に配置されていることを意味する。このような構成により、第２渦巻ファン第１空気吹き出し口２８と第２渦巻ファン第２空気吹き出し口２９によって送り込まれた空気が、第１渦巻ファン１と第３渦��ファン３の渦巻構造によって第２渦巻ファンの送風が阻害されるのを軽減するように、第１渦巻ファン１と第３渦巻ファン３の渦巻構造には吹きかけられなくてもよくなる。
【００３７】
他の好適な実施例として、上記千鳥状配列を組み合わせて用いる。図３〜図７に示すように、取付板は、第１ファン取付部４１、第２ファン取付部４２、第３渦巻ファン取付部４３を有し、第２ファン取付部４２が、第１ファン取付部４１及び第３ファン取付部４３と比較して、フロントパネル５１に向かって順方向に突出するよう、第２渦巻ファン取付部４２と第１ファン取付部４１／第３ファン取付部４３との間には段差が形成されている。同時に、第２渦巻ファン第１空気吹き出し口２８と第２渦巻ファン第２空気吹き出し口２９は、渦巻構造に対して傾斜して配置されるよう、すなわち、渦巻構造から離れる方向に向かって、取付板４からフロントパネル５１の方（すなわち、前後方向）に延在するよう設けられている。傾斜の延長線又は第２渦巻ファン第１空気吹き出し口の後壁の内面２８２のキャンバーの接線の延長線２８２１は、図４に示すように、第１渦巻ファン１の渦巻構造と交差しないことが好ましい。また、傾斜の延長線又は第２渦巻ファン第２空気吹き出し口の後壁の内面２９２のキャンバーの接線の延長線２９２１は、第３渦巻ファン３の渦巻構造とは交差しない。このように千鳥状配列を組み合わせることで、前後方向に千鳥状に配置されることによって生じる渦巻ファン組合せ構造の（前後方向）厚さの増加が軽減され、同時に、渦巻構造に対する第２渦巻ファン第１空気吹き出し口２８と第２渦巻ファン第２空気吹き出し口２９の傾斜角度が渦巻ファンの送風に影響を与えるほど大きくなるのを回避し、渦巻ファン組合せ構造の（前後方向）厚さと（緯度方向）幅とが大幅に増大しないようにして、空気調和装置の全体構造の設計を容易に最適化できるようになる。同時に、上記３つのファンによって送り込まれた空気が本体空気ダクト５６内部をスムーズに移動できるよう、第１渦巻ファンと第３渦巻ファンによって第２渦巻ファンの送風が阻害されることがほとんどなくなる。
【００３８】
他の好適な方法として、第２渦巻ファンに傾斜して配置された第２渦巻ファン第１空気吹き出し口２８及び／又は第２渦巻ファン第２空気吹き出し口２９に、風向板が設けられてもよい。図１２に示すように、第２渦巻ファン第１空気吹き出し口２８には上部風向板２８０が設けられ、第２渦巻ファン第２空気吹き出し口２９には下部風向板２９０が設けられる。上部風向板２８０は、第２渦巻ファン第１空気吹き出し口２８の前壁、すなわち、フロントパネル５１に最も近い位置に少なくとも配置され、下部風向板２９０は、第２渦巻ファン第２空気吹き出し口２９の前壁、すなわち、フロントパネル５１に最も近い位置に少なくとも配置される。これらの上部風向板２８０及び下部風向板２９０は、取付板４及び／又はフロントパネル５１とほぼ平行になるように、すなわち、長手方向に沿って延在している。上部風向板２８０及び下部風向板２９０は、第２渦巻ファン第１空気吹き出し口２８と第２渦巻ファン第２空気吹き出し口２９に設けられ、ほぼ長手方向に沿って延在するスリーブ構造を有している。このように、上部空気吹き出し口２８と下部空気吹き出し口２９によって送り込まれた空気は、ほぼ本体空気ダクト５６と平行に移動して本体空気ダクト５６に進入し、その本体空気ダクト５６内部での空気の流れをよりスムーズにするよう、フロントパネル５１の反射気流によって生じる本体空気ダクト５６内部の気流の乱れを軽減し、エネルギー損失を減少させる。また、図３Ｂに示すように、上部空気吹き出し口５３又は底部空気吹き出し口５４のいずれかが閉じている場合、例えば、底部空気吹き出し口５４が閉じている場合、第２渦巻ファン第２空気吹き出し口２９と第３渦巻ファン空気吹き出し口３９によって下方へ吹き込まれた空気は、本体空気ダクト５６の下端まで移動した後に引き返し、第３渦巻ファン３と、第２渦巻ファン２の渦巻構造とフロントパネル５１の間に形成された通路を通って上部空気吹き出し口５３の方へ移動する。この下部風向板が設けられることにより、下部空気吹き出し口２９によって下方へ吹き込まれた空気は、本体空気ダクト５６とほぼ平行になり、第２渦巻ファン２の渦巻構造とフロントパネル５１の間の通路を通る際の下側回帰空気が、スムーズに上方へ移動できるように、下部空気吹き出し口２９によって送り込まれた空気により阻害されなくてもよくなる。この下部風向板２９０が設けられない場合、下前方に傾斜した下部空気吹き出し口２９によって送り込まれた空気が、下側回帰空気がスムーズに上方へと移動できなくなるように、その回帰空気に対してバリアを形成する。これは、上部空気吹き出し口５３が閉じた場合に上部風向板２８０によって得られる効果が下部風向板２９０によって得られる効果と同じになるように、上部風向板２８０についても同様である。
【００３９】
次に、図７〜図９に示す構造を参照して、上記渦巻ファン組立構造の具体的な設置方法について説明する。取付板は、第１ファン取付面、第２ファン取付面、第３ファン取付面（図示せず）をそれぞれ備えた、第１ファン取付部４１、第２ファン取付部４２、第３ファン取付部４３を有する。その中でも、第２ファン取付面は、第１ファン取付面や第３ファン取付面と比較して、フロントパネルの方へ突出して配置されている。第１ファン取付面と第３ファン取付面の端部に設けられた空間によって、取付板の全体強度を補強してもよく、同時に、図８に示すように、第１ファン取付部４１と第３ファン取付部４３により凹部を形成してもよい。第１ファン取付面、第２ファン取付面、第３ファン取付面には、図８に示すように、第１取付板吸気口４１１、第２取付板吸気口４２１、第３取付板吸気口４３１がそれぞれ形成されている。ファンの渦巻構造は、ほぼ同じ厚さを有する２つの部分から構成されている。この２つの部分は、その製造を容易になるように、渦巻構造の軸に垂直な中心線から渦巻構造を分割することによって形成されることが好ましい。具体的には、図９に示すように、第１渦巻ファン１は、第１ファン後部１５、第１ファン前部１３、第１モータ１１、第１インペラ１４を備えている。第１ファン後部１５と第１ファン前部１３は、第１渦巻構造を構成し、第１渦巻ファン後部１５は第１渦巻吸気口によって開口し、第１モータ１１と第１インペラ１４は第１ファン前部１３に取り付けられている。第２渦巻ファン２は、第２ファン後部２５、第２ファン前部２３、第２モータ２１、第２インペラ２４を備えている。第２ファン後部２５と第２ファン前部２３は、第２渦巻構造を構成し、第２渦巻ファン後部２５は第２渦巻吸気口によって開口し、第２モータ２１と第２インペラ２４は第２ファン前部２３に取り付けられている。第３渦巻ファン３は、第３ファン後部３５、第３ファン前部３３、第３モータ３１、第３インペラ３４を備えている。第３ファン後部３５と第３ファン前部３３は、第３渦巻構造を構成し、第３渦巻ファン後部３５は第３渦巻吸気口によって開口し、第３モータ３１と第３インペラ３４は第３ファン前部３３に取り付けられている。
【００４０】
第１渦巻ファン１、第２渦巻ファン２、第３渦巻ファン３は、第１ファン取付部４１、第２ファン取付部４２、第３ファン取付部４３にそれぞれ取り付けられ、第１ファン後部１５、第２ファン後部２５、第３ファン後部３５は、ネジ、ボルト、リベットなどの接続具によって、第１ファン取付部４１、第２ファン取付部４２、第３ファン取付部４３の第１ファン取付面、第２ファン取付面、第３ファン取付面にそれぞれ固定されている。図８Ｂに示すように、ネジ９１が用いられている。第１渦巻吸気口、第２渦巻吸気口、第３渦巻吸気口は、第１取付板吸気口４１１、第２取付板吸気口４２１、第３取付板吸気口４３１にそれぞれ対向している。第１ファン取付部４１と第３ファン取付部４３によって凹部が形成されるので、第１ファン後部１５と第３ファン後部３５はその凹部内に埋め込まれ、第２ファン後部２５は、取付板４から突出することにより第２ファン取付部４２に位置している。第１ファン前部１３、第２ファン前部２３、第３ファン前部３３は、その対応するモータやインペラを取り付けた後、図９に示すように、さらに全体的な渦巻ファン組合せ構造を構成するよう、第１ファン後部１５、第２ファン後部２５、第３ファン後部３５にそれぞれ一体的に接続される。モータを取付板に取り付ける従来の方法と比べて、本出願のモータは渦巻構造に取り付けられ、モータとインペラは、取付板を取り外す必要なく、渦巻構造と共に取り外し可能であってもよい。これにより、組立構造全体の利便性と保全性が改善される。渦巻モータの具体的な構造については、後に詳述する。
【００４１】
次に、図１３〜図１８に示すように、例えば、第１モータ１と取付板４を例にとって渦巻モータの取付構造について詳しく説明する。以下の説明では、軸方向をモータ軸に平行な方向として定義し、径方向をモータ軸に垂直な方向として定義し、周方向をモータ軸を中心に回転する方向として定義する。「側」とは、モータの軸方向に関連する用語である。例えば、図１３では、第１部１３（第１ファン前部）が一方の側に位置し、第２部１５（第１ファン後部）が他方の側に位置し、インペラ１４がその第１部１３と第２部１５の間に位置している。
【００４２】
図１５に示すように、上記渦巻構造を、モータの軸１１１を含む面でその渦巻構造を切断して得られる軸方向断面から見た場合、その軸方向における渦巻構造の中心線に最も近い渦巻構造の周壁からその軸までの距離は、その軸の両側における渦巻構造の周壁からその軸１１１までの距離より大きく、その距離は、差Ｈを置いて、周壁の中心線からインペラの軸１４４までの距離である。上記軸１１１の方向における渦巻構造の中心線１３９に最も近い渦巻構造の周壁の外壁からその軸１１１までの距離は、その軸１１１の両側における渦巻構造の周壁の外壁からその軸１１１までの距離よりも差Ｈ１だけ大きいことが好ましい（図示せず）。渦巻構造の周壁の外壁は、円弧、台形、カットされた円弧、三角形、又は、他の多角形の形状であってもよい断面を有することが好ましい。上記軸１１１の方向における渦巻構造の中心線１３９に最も近い渦巻構造の周壁の外壁からその軸１１１までの距離は、その軸１１１の両側における渦巻構造の周壁の外壁からその軸１１１までの距離よりも差Ｈ１だけ大きいことが好ましい（図示せず）。渦巻構造の周壁の外壁は、円弧、台形、カットされた円弧、三角形、又は、他の多角形の形状であってもよい断面を有することが好ましい。渦巻構造の周壁の外壁を中間で突出する構造となるように設計することで、例えば、湾曲した筐体を有するさまざまな縦型空気調和機構造に適用してもよい。さらに、通常、渦巻構造の周壁は厚さが一様であるので、周壁の外壁が突出することにより、周壁の内壁も突出構造となるようにしてもよい。その周壁が側壁と垂直な渦巻構造を比較することにより、渦巻構造内の容積を増大させ、渦巻ファンの送風機能を向上させることが可能である。
【００４３】
製造を容易にするため、上記渦巻構造を分割構造としてもよい。図１３〜図１５に示すように、渦巻構造は、第１部１３と第２部１５から構成され、第１部１３は、第１部周壁１３１と第１部側壁１３２を有し、第２部は、第２部周壁１５１と第２部側壁１５２を有し、第１部周壁１３１と第２部周壁１５１は、インペラ１４の周囲を取り囲むように曲げられている。第１部周壁１３１は、第１部側壁１３２の端部に接続された固定端と、第１部側壁１３２から離隔した第１接続端とを有する。第２部周壁１５１は、第２部側壁１５２の端部に接続された固定端と、第２部側壁１５２から離隔した第２接続端とを有する。第１部１３と第２部１５の内部に、インペラ１４を収容する収容キャビティを、その半径がモータの軸１１１に対してインペラ１４の回転方向に沿って大きくなる円筒形状に形成するよう、第１部周壁１３１の第１接続端１３１１は、第２部周壁１５１の第２接続端１５１１に接続されている。
【００４４】
本実施例の渦巻モータのモータ１１は、モータ本体１１７と回転軸１１２を備えている。収容キャビティ内に取り付けられたインペラ１４は、モータの軸１１１の軸方向に細長く形成された複数の羽根１４１が放射形状を有し、特定の間隔をあけて構成されるような円筒形状を有する。その羽根１４１の一方の端部は、ほぼ円形の回転円板１４２の外側端部に取り付けられ、羽根１４１の他方の端部は、インペラ吸気口の内部に形成された環状の支持リング１４３に取り付けられている。回転円板１４２は、モータの回転軸１１２の中心に固定され、インペラ１４が、モータ１１の駆動により、回転軸１１２を中心として回転する。第１部１３はモータ取付口１３３を備え、インペラの回転円板１４２がそれに隣接して配置されている。モータ１１の回転軸１１２は、回転円板１４２の回転を駆動するよう、モータ取付口を通ってインペラ１４の回転円板１４２に接続されている。第２部１５は、その位置がインペラ吸気口に対応し、空気をインペラ１４内部へと誘導するための渦巻吸気口１５３を備えている。モータ本体１１７は、第１部１３に支持されている。モータ本体１１７と第１部１３との間には、第１ダンピング手段が設けられている。この第１ダンピング手段の構造と具体的な取付方法について、以下に詳しく説明する。
【００４５】
通常、渦巻構造は全体的な強度が弱いプラスチック材料でできているので、モータ本体１１７を第１部１３に直接取り付けると、第１部１３の強度が、モータの動力を支持するには不十分となる場合があり、それによって第１部１３が変形したり破損したりしてしまう。そのため、好適な実施例として、金属材料でできた支持ディスク１２を備える。この支持ディスク１２は、第１部１３、好ましくは、第１部１３の第１部側壁１３２の外壁に固定され、モータ本体１１７が支持ディスク１２に固定される。モータ本体１１７は、第１部１３から離隔した支持ディスク１２の側面に固定されることが好ましい。この支持ディスク１２を設けることにより、モータ本体１１７を渦巻構造に設けて、その渦巻構造によって支持されるようにできるのと同時に、渦巻構造の変形や破損を防ぐことができる。
【００４６】
支持ディスク１２を設けた場合、第１ダンピング手段をこの支持ディスク１２とモータ本体１１７の間に配置してもよい。モータ本体１１７の周壁の外壁には、支持ディスク１２に固定されたフランジ１３３が備えられ、第１ダンピング手段は、このフランジ１３３と支持ディスク１２の間に配置されている。この第１ダンピング手段は、フランジ１３３と支持ディスク１２の間に配置された第１ダンピングワッシャであることが好ましい。好適な解決策として、図１３に示すように、第１ダンピングワッシャ１１４は、円柱状の形状を有し、この円柱状の第１ダンピングワッシャ１１４の外周面にはソケットが備えられ、シート状のフランジ１３３がこのソケットから第１ダンピングワッシャ１１４内に挿入される。第１ダンピングワッシャ１１４は、フランジ１３３の取付穴と連通する貫通穴を備えている。ネジやボルトなどの接続具は、第１ダンピングワッシャ１１４の貫通穴とフランジ１３３の取付穴を通った後、モータ本体１１７を固定するよう支持ディスク１２に接続される。第１ダンピングワッシャ１１４は、ゴム支持部を用いることが好ましい。支持ディスク１２が設けられない場合は、この支持ディスク１２を第１部１３で置き換えることにより、上記ダンピング手段を介して、第１部１３に直接モータ１１を接続してもよい。
【００４７】
第１部周縁部１３１は、モータの軸１１１から離れる方向へ径方向に固定端から第１接続端１３１１へと延在し、第２部周縁部１５１は、モータの軸１１１から離れる方向へ径方向に固定端から第２接続端１５１１へと延在する。第１部周壁１３１の第１接続端１３１１と第２部周壁１５１の第２接続端１５１１との接続は、モータの軸１１１に垂直な渦巻構造の中心線１３９に最も近い位置で行われる、もしくは、モータの軸１１１に垂直な渦巻構造の中心線１３９と重なることが好ましい。
【００４８】
渦巻構造の気密性を高めるため、第１部１３と第２部１５の接続部には、密閉構造が設けられてもよい。この密閉構造は、第１部周壁１３１の第１接続端１３１１と第２部周壁１５１の第２接続端１５１１のいずれか一方に設けられたリブと、その他方に設けられた溝から構成されることが好ましい。図１５に示すように、第２部１５へと延在するリブ１３１２を第１部周壁１３１の第１接続端に設け、そのリブ１３１２に対応する溝１５１２を第２部周壁１５１に設けることが好ましい。第１部１３が第２部１５に接続されると、リブ１３１２が溝１５１２に埋め込まれる。それによって、密閉性を向上させ、渦巻ファンの効率を低下させる原因となる渦巻構造の周壁からの空気漏れを防ぐことが可能となる。このリブ１３１２と溝１５１２の構造は、一つだけ設けられても、複数設けられてもよい。
【００４９】
上記密閉構造は、第１部１３と第２部１５のいずれか一方にフランジを設け、その他方に溝を設けることにより形成される密閉リングの形状であってもよい。フランジが溝に当接し、その溝内で密閉リングを押圧して密閉が行われる。この密閉リングには、ゴムや他の軟質材料が用いられてもよい。この密閉構造は、渦巻構造の周壁の径方向外側又は径方向内側に設けられてもよい。
【００５０】
好適な実施例として、図１５に示すように、回転円板１４２は、その回転円板１４２の端部から軸中心へと向かう方向において、インペラ１４の内部へ突出するよう配置されている。回転円板１４２は、ほぼカップ状又はテーパー状の形状を有し、回転円板１４２の径方向内側には、モータ収容空間が形成されている。モータの回転軸１１２が渦巻構造からその内部を通り、モータ本体１１７の一部がそのモータ収容空間内に位置していてもよい。こうすることで、渦巻構造の外部から突出するモータ１１の長さを小さくし、軸方向の渦巻モータの取付長さを小さくし、渦巻ファンの全体構造をよりコンパクトなものにするといった利点が得られる。さらに、第１部１３の第１部側壁１３２には、対応する内側凹部１３２１が形成され、その中心にはモータ取付口１３３が設けられている。さらに、この内側凹部１３２１は、モータ取付口１３３の端部から軸中心へと向かう方向において、インペラ１４の内部へ突出するよう配置されている。
【００５１】
モータと支持ディスク間の振動をさらに軽減するため、図１７に示すように、モータ本体１１７の周壁の外壁には、支持ディスク１２に固定されたフランジ１３３が設けられ、このフランジ１３３と支持ディスク１２の間には第１ダンピング構造が設けられることが好ましい。この第１ダンピング構造は、フランジ１３３と支持ディスク１２の間に配置された第１ダンピングワッシャであることが好ましい。好適な解決策として、図１７に示すように、第１ダンピングワッシャ１１４は、円柱状の形状を有し、この円柱状の第１ダンピングワッシャ１１４の外周面にはソケットが備えられ、シート状のフランジ１３３がこのソケットから第１ダンピングワッシャ１１４内に挿入される。第１ダンピングワッシャ１１４は、フランジ１３３の取付穴と連通する貫通穴を備えている。ネジやボルトなどの接続具は、第１ダンピングワッシャ１１４の貫通穴とフランジ１３３の取付穴を通った後、モータ１１を固定するよう支持ディスク１２に接続される。第１ダンピングワッシャ１１４は、ゴム支持部を用いることが好ましい。
【００５２】
モータ１１とインペラ１４間の振動をさらに軽減するため、図１８に示すように、モータの回転軸１１２とインペラ１４の回転円板１４２の間には第２ダンパー構造が設けられる。この第２ダンピング構造は、ゴムスリーブ１１５と金属カラー１１６を有し、このラバースリーブ１１５がモータの回転軸１１２の外周面に固定されて、モータ軸１１と同期して回転することが好ましい。金属カラーは、その外周面が回転円板１４２に接続され、その内周面がゴムスリーブ１１５に接続されている。モータの回転軸１１２の動力は、回転円板１４２に伝えられて、インペラ１４の回転をさらに駆動し、ゴム１１５を設けることにより、モータ１１がインペラ１４に伝えた振動を効果的に軽減し、ノイズを効果的に軽減する。
【００５３】
モータ本体１１７が渦巻構造１３に伝えた振動を軽減するため、円筒支持部１３４を第１部１３のモータ取付口１３３の端部に設け、モータ取付口１３３と連通する貫通穴をこの円筒支持部１３４の内部に設けることが好ましい。図１７に示すように、円筒支持部１３４の固定端は、モータ取付口１３３の端部に接続し、円筒支持部１３４の自由端は、渦巻構造の中心から離れる方向へと軸方向に延在する。モータ本体１１７の少なくとも一部は、モータの回転軸１１２がモータ取付口１３３を通ってインペラ１４に接続されるよう、円筒支持部１３４内に位置している。この円筒支持部１３４とモータ本体１１７の円筒壁の外壁との間には、第３ダンピング構造が設けられる。この第３ダンピング構造は、円筒支持部１３４の端部又は内壁に設けられた第２密閉リング１３５であることが好ましい。モータ１１が円筒支持部１３４の内部に配置されると、モータが渦巻構造に伝えた振動を軽減するように、第２密閉リング１３５とモータ本体１１７の周壁の外壁とが弾性的に嵌合する。同時に、モータ取付口１３３を密閉し、モータ取付口で空気漏れが生じることで渦巻モータの効率が低下しないように、モータ取付口１３３を閉鎖する密閉嵌合を形成することも可能となる。第２密閉リング１３５は、円筒支持部１３４に取り付けられてもよいし、モータ本体１１７の外周面に取り付けられてもよい。図１７に示すように、第２密閉リング１３５は、その開口部が円筒支持部１３４の自由端に向けられ、円筒支持部１３４の自由端に取り付けられた、Ｕ字状の断面を有する環状構造として設けられていることが好ましい。この第２密閉リング１３５の内側周壁は、モータ本体１１７の周壁の外壁に当接している。モータの方へ延在する密閉リップを備えた第２密閉リングの内周面は、モータ本体１１７の周壁の外壁に当接していることが好ましい。渦巻構造１３は、取付座部１３６を有し、支持ディスク１２は、第１部１３に取り付けられるよう取付ディスク１３６に接続されていることが好ましい。円筒座部１３４に対向する支持ディスク１２の側面は、第２密閉リング１３５に押圧され、この第２密閉リング１３５をより良好に固定するよう、支持ディスク１２と円筒支持部１３４との間に第２密閉リングを挟持している。
【００５４】
次に、本実施例の渦巻モータの取付構造について説明する。図１４に示すように、本実施例の渦巻モータの取付構造は、上記渦巻ファンと取付板４を備え、渦巻ファンが取付板４に取り付けられ、この取付板４には取付板吸気口４１が設けられている。第２部１５は、ネジ、ボルト、リベットなどの締結具を介して取付板４に固定して接続され、第２部１５の渦巻吸気口１５３の位置は、取付板４の取付板吸気口４１に対向し、モータ１１とインペラ１４はいずれも第１部１３に取り付けられている。モータ１１とインペラ１４が取り付けられた第１部１３は、渦巻ファンを取付板４に取り付けるよう、第２部１５に接続されている。
【００５５】
次に、上記渦巻ファンと取付板４の具体的な組み立て方法について詳しく説明する。
【００５６】
渦巻ファンを取付板４に固定する場合、以下のステップを実施する。
【００５７】
ステップＩ：
第２部１５を取付板４に接続する。締結具を介して第２部側壁１５２を取付板４に接続し、第２部周壁１５１を、取付板４から離隔して、第２部側壁１５２の一方の側に配置する。締結具としては、ネジやリベットなどの接続具を用いてもよい。
【００５８】
ステップＩＩ：モータ１１とインペラ１４を第１部１３に接続する。具体的には、２つの方法がある。
【００５９】
方法１：
支持ディスク１２を第１部１３に固定し、モータ１１の回転軸１１２が第１部１３のモータ取付口１３３を通って、モータ１１を第１部１３に固定するよう、モータ１１を支持ディスク１２に固定し、インペラ１４とモータを接続するようにインペラ１４の回転円板１４２をモータ１１の回転軸１１２に接続する。
【００６０】
もしくは、方法２：
モータ１１を支持ディスク１２に接続し、支持ディスク１２をモータ１１と共に第１部１３に固定し、モータ１１の回転軸１１２が第１部１３のモータ取付口１３３を通って、インペラ１４とモータ１１を接続するようにインペラ１４の回転円板１４２をモータ１１の回転軸１１２に接続する。
【００６１】
ステップＩＩＩでは、渦巻ファンを取付板４に一体的に取り付けるように、モータ１１とインペラ１４が取り付けられた第１部１３を第２部１５に接続する。
【００６２】
このうち、ステップＩとステップＩＩの順序を入れ替えてもよいし、両ステップを同時に実施してもよい。
【００６３】
既存の渦巻ファン構造と比較して、実施例Ｉの渦巻ファンのモータ１１とインペラ１４は、第１部１３に完全に取り付けられ、設置を便利に行えるよう、設置時に第１部１３と一体的に取り付けられる。モータ１１とインペラ１４の修理、メンテナンス、交換などの作業を行う必要がある場合は、モータ１１とインペラ１４と共に第１部１３をまとめて、並びに、第２部１５を取り外せばよい。第２渦巻構造１５を取り外す必要があり、全体的なメンテナンスがより良好に行えるよう、取付板４も取り外す必要がある。
【００６４】
さらに、当業者であれば、本明細書に提供される図面は、説明を目的とするものであって、必ずしも縮尺通りには描かれていないことが理解されよう。
【００６５】
同時に、本開示が包括的なものであり、その範囲が適切に当業者に伝えられるよう例示的実施例が提供されることを理解されたい。具体的な詳細（例えば、特定の部材、装置及び方法の例）の多くは、本開示を包括的に理解するために提供されるものである。具体的な詳細を用いる必要があり、実施例はさまざまな形態で実施可能であり、例示的実施例は本開示の範囲を制限するものと考えられるべきではないことを当業者なら理解するであろう。いくつかの例示的実施例では、周知の装置構造や周知の技術については詳細に説明されていない。
【００６６】
構成要素または層が、別の構成要素または層「の上にある」、「に係合している」、「に連結している」、もしくは別の構成要素または層「に結合している」という記述がある場合、構成要素または層は、その他の構成要素または層の直接上にある、係合している、連結している、もしくは結合していてもよく、あるいは介在の構成要素または層が存在してもよい。一方、構成要素が、別の構成要素または層「の直接上にある」、「に直接係合している」、「に直接連結している」、または「に直接結合している」という記述がある場合、介在の構成要素または層がなくてもよい。構成要素間の関係を説明するために使用される他の用語は、同様に解釈されるべきである（例えば、「間に」と「直接間に」、「隣接する」と「直接隣接する」など）。本明細書で使用される場合、「及び／又は」という用語は、関連して列挙された項目の１つまたは複数の任意の及びすべての組合せを含む。
【００６７】
「第１、第２、第３など」の用語は、様々な構成要素、部材、領域、層及び／又は部分を説明するために本明細書で使用され得るが、これらの構成要素、部材、領域、層及び／又は部分は、これらの用語によって限定されるべきではない。これらの用語は、１つの構成要素、部材、領域、層又は部分を、別の構成要素、領域、層又は部分から区別するために使用され得るに過ぎない。本明細書で使用される場合、「第１」、「第２」などの用語及び他の数値は、文脈により明確に示されない限り、順番や順序を示唆するものではない。従って、以下に論じられる第１の構成要素、部材、領域、層又は部分は、例示的実施形態の教示から逸脱することなく、第２の構成要素、部材、領域、層又は部分と呼ぶことができる。さらに、本考案の説明において、特に明記しない限り、「複数の」は、２つ以上を意味する。
【００６８】
「内部」、「外部」、「真下」、「下」、「下部」、「上」及び「上部」などの空間的相対語は、図に示されるように１つの構成要素や特徴と別の構成要素や特徴との関係を説明するのに、説明をわかりやすくするために本明細書に使用される。空間的相対語は、図に示された配向に加えて、使用時または作動時に装置の異なる配向を包含することが意図されてもよい。例えば、図における装置が回転された場合は、他の構成要素や特徴の「下」または「真下」と記載された構成要素は、他の構成要素や特徴の「上」に位置することになる。したがって、例示的用語「下」は、上と下の両方の配置を包含することができる。装置は他の方向に向けられ（９０度に回転又は他の方向に配置され）てもよく、本明細書で使用する空間に関連する用語はそれに従って解釈される。
【００６９】
上記は本考案の好適な実施例に過ぎず、本考案を制限するものではない。当業者であれば、本考案に対してさまざまな変形や変更を行うことが可能である。本考案の精神と原則内におけるいかなる補正、等価置換、改善なども、本考案の保護範囲内に含まれるものとする。
【図１】
0003225968.tif 000003
【図２】
0003225968.tif 000004
【図３Ａ】
0003225968.tif 000005
【図３Ｂ】
0003225968.tif 000006
【図４】
0003225968.tif 000007
【図５】
0003225968.tif 000008
【図６】
0003225968.tif 000009
【図７】
0003225968.tif 000010
【図８】
0003225968.tif 000011
【図８Ｂ】
0003225968.tif 000012
【図９】
0003225968.tif 000013
【図１０】
0003225968.tif 000014
【図１１】
0003225968.tif 000015
【図１２】
0003225968.tif 000016
【図１３】
0003225968.tif 000017
【図１４】
0003225968.tif 000018
【図１５】
0003225968.tif 000019
【図１６】
0003225968.tif 000020
【図１７】
0003225968.tif 000021
【図１８】
0003225968.tif 000022
【手続補正書】
【提出日】令和2年2月10日(2020.2.10)
【手続補正１】
【補正対象書類名】実用新案登録請求の範囲
【補正対象項目名】全文
【補正方法】変更
【補正の内容】
【実用新案登録請求の範囲】
【請求項１】
取付板（４）と、
前記取付板（４）に取り付けられた少なくとも２つの隣接する渦巻ファンと、
を具備し、
前記２つの隣接する渦巻ファンのうちの一方の渦巻ファンは、それら２つの隣接する渦巻ファンの間に位置する中間傾斜空気吹き出し口を有し、前記中間傾斜空気吹き出し口が、前記取付板（４）から離れる方向に沿って延在する、渦巻ファン組合せ構造。
【請求項２】
前記中間傾斜空気吹き出し口の前記取付板（４）に隣接する内面は、傾斜又はキャンバーを有し、前記傾斜の延長線又は前記キャンバーの接平面の延長線が、前記中間傾斜空気吹き出し口に隣接する他方の渦巻ファンの渦巻構造とは交差しない、請求項１に記載の渦巻ファン組合せ構造。
【請求項３】
下から順番に第３渦巻ファン（３）、第２渦巻ファン（２）及び第１渦巻ファン（１）を含む３つの渦巻ファン（１，２，３）を具備し、
前記第２渦巻ファン（２）は、空気を上方へ送り込む及び／又は空気を下方へ送り込む第２渦巻ファン空気吹き出し口（２８，２９）を有し、
前記第２渦巻ファン空気吹き出し口（２８，２９）は、前記取付板（４）から離れる方向に沿って延在する、請求項１に記載の渦巻ファン組合せ構造。
【請求項４】
前記第２渦巻ファン空気吹き出し口（２８，２９）の前記取付板（４）に隣接する内面は、傾斜又はキャンバーを有し、対応する傾斜の延長線又はキャンバーの接平面の延長線は、前記第２渦巻ファン空気吹き出し口（２８，２９）に対向する第１渦巻ファン又は第３渦巻ファンの渦巻構造とは交差しない、請求項３に記載の渦巻ファン組合せ構造。
【請求項５】
前記第１渦巻ファン（１）は、空気を上方へ送り込む第１渦巻ファン空気吹き出し口（１８）を有し、
前記第３渦巻ファン（３）は、空気を下方へ送り込む第３渦巻ファン空気吹き出し口（３９）を有し、
前記第２渦巻ファン空気吹き出し口は、空気を上方へ送り込む第２渦巻ファン第１空気吹き出し口（２８）と、空気を下方へ送り込む第２渦巻ファン第２空気吹き出し口（２９）とを有する、請求項３に記載の渦巻ファン組合せ構造。
【請求項６】
前記第２渦巻ファン第１空気吹き出し口（２８）の前記取付板（４）に隣接する内面（２８２）は、傾斜又はキャンバーを有し、前記傾斜の延長線又はキャンバーの接平面の延長線（２８２１）は、前記第１渦巻ファン（１）の渦巻構造とは交差せず、
前記第２渦巻ファン第２空気吹き出し口（２９）の前記取付板（４）に隣接する内面（２９２）は、傾斜又はキャンバーを有し、前記傾斜の延長線又はキャンバーの接平面の延長線（２９２１）は、前記第３渦巻ファン（３）の渦巻構造とは交差しない、請求項５に記載の渦巻ファン組合せ構造。
【請求項７】
前記取付板（４）と平行な第１風向板（２８０）が、前記第２渦巻ファン第１空気吹き出し口（２８）の前記取付板（４）から離隔した壁に少なくとも設けられ、及び／又は、
前記取付板（４）と平行な第２風向板（２９０）が、前記第２渦巻ファン第２空気吹き出し口（２９）の前記取付板（４）から離隔した壁に少なくとも設けられる、請求項６に記載の渦巻ファン組合せ構造。
【請求項８】
前記第１風向板（２８０）は、上方に延在するスリーブを有し、前記第２風向板（２９０）は、下方に延在するスリーブを有する、請求項７に記載の渦巻ファン組合せ構造。
【請求項９】
前記第２渦巻ファン（２）は、前記第１渦巻ファン（１）及び前記第３渦巻ファン（３）よりも前記取付板（４）から離れている、請求項３に記載の渦巻ファン組合せ構造。
【請求項１０】
前記取付板（４）は、前記第１渦巻ファン（１）、前記第２渦巻ファン（２）及び前記第３渦巻ファン（３）をそれぞれ対応して取り付けるための第１ファン取付部（４１）、第２ファン取付部（４２）及び第３ファン取付部（４３）が設けられ、
前記第２ファン取付部は、前記取付板（４）の前方に向かって、前記第１ファン取付部（４１）及び前記第３ファン取付部（４３）よりも前に突出するよう配置されている、請求項９に記載の渦巻ファン組合せ構造。
【請求項１１】
筐体の上部に位置する上部空気吹き出し口と、筐体の底部に位置する底部空気吹き出し口とが設けられた筐体と、
前記筐体内に設けられ、前記上部空気吹き出し口及び前記底部空気吹き出し口とそれぞれ連通する本体空気ダクトと、
前記筐体内に設けられ、前記本体空気ダクトから前記上部空気吹き出し口及び／又は前記底部空気吹き出し口に向かって空気を送り込む請求項１に記載の渦巻ファン組合せ構造と、
を具備する縦型空気調和機。